(57)【要約】【課題】観測中の観測対象から目を離すことなく、観測対象までの離間距離や方位情報を得ることが可能な観測装置を安価に提供すること。【解決手段】観測対象物を拡大表示する第１視野２２を提供する第１光学系２０と、第１視野２２内で視認される観測対象物の大きさに基づいて観測位置から観測対象物までの距離を示す測距スケール３４および観測対象物の方位を無背景上に表示した第２視野３２を提供する第２光学系３０と、を有し、第１光学系２０と第２光学系３０とを同時に観察することができるように、第２光学系３０の光軸が第１光学系２０の光軸と平行に配設されていることを特徴とする観測装置１０。【選択図】図１
2011089808.tif 000002
【特許請求の範囲】
【請求項１】
観測対象物を観測するために観測対象物を拡大表示する第１視野を提供する第１光学系と、
前記第１視野内で視認される前記観測対象物の大きさに基づいて、観測位置から前記観測対象物までの距離を示す測距スケールおよび前記観測対象物の方位を無背景上に表示した第２視野を提供する第２光学系と、を有し、
前記第１光学系と前記第２光学系とを同時に観察することができるように、前記第２光学系の光軸が前記第１光学系の光軸と平行に配設されていることを特徴とする観測装置。
【請求項２】
前記第２光学系には仰角および伏角のうち、少なくとも仰角の指標が前記第２視野に表示されていることを特徴とする請求項１記載の観測装置。
【請求項３】
前記測距スケールは、同一の第２視野内において複数種類の観測対象物に対応していることを特徴とする請求項１または２記載の観測装置。
【請求項４】
前記測距スケールが交換可能に配設されていることを特徴とする請求項１〜３のうちのいずれか一項に記載の観測装置。
【請求項５】
前記第１光学系および前記第２光学系を一体に保持するホルダをさらに有していることを特徴とする請求項１〜４のうちのいずれか一項に記載の観測装置。
【請求項６】
前記ホルダは、前記第１光学系と前記第２光学系との保持位置の位置調整が可能な位置調整部を具備していることを特徴とする請求項５記載の観測装置。
【請求項７】
前記ホルダは、前記ホルダに保持されている前記第２光学系の前記第１光学系に対する保持位置を、前記第１の光学系と前記第2の光学系とが観測者の両目の位置にそれぞれ対応する位置となる第１の位置と、前記第１の光学系のみが観測者の片目の位置に対応する第２の位置と、の間で切り替える保持位置切り替え機構を具備していることを特徴とする請求項５または６記載の観測装置。
【請求項８】
前記保持位置切り替え機構には、前記第１光学系と前記第２光学系のそれぞれを、前記第１の位置と前記第２の位置とでそれぞれ維持可能にする保持位置維持手段が設けられていることを特徴とする請求項７記載の観測装置。
【発明の詳細な説明】
【技術分野】
【０００１】
本発明は観測装置に関する。
【背景技術】
【０００２】
猛禽類等、比較的大型の鳥類の生態を調査する場合、長距離かつ広範囲に飛翔して移動する観測対象を望遠鏡により観測し、その観測に基づいて地形図に観測対象の飛行経路を記入するという観測データの作成を行うことが多い。
正確な観測データを作成するためには、刻々と変化する観測対象の方角や距離を正しく把握し続ける必要がある。しかしながら、観測対象の位置（方角と距離）を確認するために、方位磁石や地形図と照合しようと試みると、観測中に望遠鏡から視線を外す必要があり、観測対象を見失ってしまう可能性が高く、きわめて困難である。仮に運良く観測対象物を見失うことなく地形図を確認できたとしても、高倍率の望遠鏡の視野は、望遠圧縮効果によって観測視野内における遠近感が極度に失われてしまう。このため、最終的に距離を判断するのは観測者の勘に頼るしかないのが現状である。その距離判断は熟達した観測者であっても難しく、実際の距離と観測者の勘により得た距離とが大きくずれていることもしばしばである。
【０００３】
また、飛翔して移動する観測対象をより長距離にわたって追跡し、 かつ、より詳細な観測をおこなうために、複数の観測地点に観測者を配備させた観測体制をとることが多い。この場合、観測対象を最初に発見した観測者は、他の観測者が迅速に観測対象を発見できるよう、その位置情報を無線等の手段によって通知するのが常である。しかしながら、前述のような理由から正確な位置情報（地形図上での位置、あるいは方角と距離）を観測中に得ることは難しく、感覚的に把握したおおよその方角や距離感などによる非常におおざっぱな情報しか通知できないため、他の観測者が観測対象を発見することは容易ではない。そのため、他の観測者が観測対象を発見できないまま、最初に発見した観測者が観測対象を見失ってしまうことも多い。よって、観測者が観測対象までの方角と距離を正確に把握するということは、データそのものの正確さという点のみならず、データ量の確保の点でも非常に重要である。
【０００４】
上述のような要求を満足する観測装置について調査を行ったものの、観測対象までの距離や仰角の計測を可能にすべく、視野内に測定用のスケールが配設された望遠鏡（例えば、特許文献１参照）についての出願がみられる程度であった。
【先行技術文献】
【特許文献】
【０００５】
【特許文献１】実開平３−１０６４１３号公報
【発明の概要】
【発明が解決しようとする課題】
【０００６】
特許文献１に開示されているような距離傾斜角測定器によれば、観測対象までのおおよその離間距離と仰角や伏角についての情報は、観測対象物を観測しながら計測することが可能である。ところが、特許文献１には、観測者の位置から観測対象物の方位計測手段が設けられていないため、観測対象物の方位に関する情報の入手は、従来と同様に望遠鏡とは別体の方位磁針による計測が必要である。
【０００７】
移動速度が低速である観測対象を観測している場合には、観測途中に方位測定のために観測対象から目を離しても、観測対象の再補足はさほど困難ではなく、観測結果に悪影響を与えることは少ない。しかしながら、移動速度が高速である場合や、平面領域だけでなく上下方向への移動量が大きい猛禽類等を観測している場合には、観測途中で観測対象から目を離してしまうと、観測対象を見失ってしまうという点については、依然として満足できるものではなかった。このような理由から、猛禽類等を観測するために特許文献１に開示されているような望遠鏡の内部に方位計測手段を内蔵させることも検討したものの、観測対象物に応じて使用する望遠鏡が異なることもあり、製造コストが高騰してしまうため現実的ではない。
【０００８】
そこで本願発明は、観測中の観測対象から目を離すことなく、観測対象までの離間距離や方位情報を得ることが可能な観測装置を安価に提供することを目的としている。
【課題を解決するための手段】
【０００９】
以上の目的を達成するため本願発明は以下の構成を有する。
すなわち、観測対象物を観測するために観測対象物を拡大表示する第１視野を提供する第１光学系と、前記第１視野内で視認される前記観測対象物の大きさに基づいて、観測位置から前記観測対象物までの距離を示す測距スケールおよび前記観測対象物の方位を無背景上に表示した第２視野を提供する第２光学系と、を有し、前記第１光学系と前記第２光学系とを同時に観察することができるように、前記第２光学系の光軸が前記第１光学系の光軸と平行に配設されていることを特徴とする観測装置である。
【発明の効果】
【００１０】
本発明にかかる観測装置によれば、観測対象から目を離すことなく、観測対象までの距離情報や方位情報を入手することが可能になる。これにより、観測者の労力を軽減することができると共に、正確な観測データを提供することができる。また既存の望遠鏡に単純に付加するだけで使用することができ、構造も単純であるため、使い勝手の良好な観測装置を低コストで提供することが可能になる。
【図面の簡単な説明】
【００１１】
【図１】第１実施形態における観測装置の斜視図である。
【図２】通常時の観測装置と、保持位置切り替え機構を作動させた際における観測装置状態を示す正面図である。
【図３】第１実施形態における観測装置の第１光学系を覗いて得られた第１視野の状態を示す図である。
【図４】第１実施形態における観測装置の第２光学系を覗いて得られた第２視野の状態を示す図である。
【図５】図２の第１視野と図３の第２視野を観測者の脳内で合成したことにより得られた観測者の合成視野を示す図である。
【図６】観測対象物の仰角を計測するための合成視野の状態を示す図である。
【図７】第２実施形態における観測装置の斜視図である。
【図８】測距スケールの変形例を適用した際の第２視野の状態を示す図である。
【図９】第２光学系の変形例を示す一部透視側面図である。
【発明を実施するための形態】
【００１２】
（第１実施形態）
以下、本発明にかかる観測装置の実施形態について図面に基づいて説明する。図１は、第１実施形態における観測装置の斜視図である。図２は、通常時の観測装置と、保持位置切り替え機構を作動させた際における観測装置状態を示す正面図である。図３は、第１実施形態における観測装置の第１光学系を覗いて得られた第１視野の状態を示す図である。図４は、第１実施形態における観測装置の第２光学系を覗いて得られた第２視野の状態を示す図である。図５は、図３の第１視野と図４の第２視野を観測者の脳内で合成したことにより得られた観測者の合成視野を示す図である。
【００１３】
本実施形態における観測装置１０は、図１に示すように、観測対象を拡大して表示する第１視野２２を観測者に提供する第１光学系２０と、観測位置から観測対象物までの離間距離を表示する測距スケール３４と観測対象の方位を表示する方位磁針３６を具備し、観測者に第２視野３２を提供する第２光学系３０とを有している。ここでは第１光学系２０には３０倍の望遠鏡を用い、第２光学系３０には５倍の拡大鏡を用いた。観測装置１０は、図１に示すように、第１光学系２０に取り付けられたホルダ４０により第２光学系３０が保持されている。第２光学系３０は、第２光学系３０の光軸が第１光学系２０の光軸と平行になるようにホルダ４０に保持されている。本実施形態における観測装置１０は、第１光学系２０に予め配設されている三脚取付部２４により図示しない三脚に固定することができる。
【００１４】
本実施形態におけるホルダ４０は、図１および図２に示すように、保持バー４２と、第１光学系２０に取り付けられる取付部４４と、第２光学系３０を装着する装着孔４６と、バランサーウエイト４８と、保持バー４２の回動を規制するストッパ４９とを具備している。
取付部４４は、第１光学系２０のアイピース２１に装着する締付バンド４４Ａと、締付バンド４４Ａに接続された上下スライダー４４Ｂと、締付バンド４４Ａを締め付ける締結具４４Ｃとを有している。取付部４４は、アイピース２１の外周面に沿って締付バンド４４Ａを周回させた後、締結具４４Ｃを締め付けることによりアイピース２１に取り付けられている。上下スライダー４４Ｂは、Ｌ字状の切欠部４４Ｄが形成された２枚の板により構成されている。これら２枚の板は、第１光学系２０の光軸方向における前後方向に切欠部４４Ｄの位置を位置合わせした状態で締付バンド４４Ａの締結具４４Ｃの下部に一体に取り付けられている。
【００１５】
本実施形態においては、上下スライダー４４Ｂは、保持バー４２を挿通する筒状体に形成されたストッパ４９を外側から挟み込む配置で締結具４４Ｃの下部に取り付けられている。このような取付部４４を保持バー４２の連結孔位置に位置合わせした後、上下スライダー４４Ｂの切欠部４４Ｄの任意の位置で締付ねじ４５を用いて締め付けることで、保持バー４２を第１光学系２０に取り付けることができる。
【００１６】
本実施形態における第２光学系３０には、第２光学系３０を保持バー４２に取り付けるための第２保持具４６が第２光学系３０の本体部下面に予め装着されている。第２保持具４６は、図１に示すように、角筒体に形成されていて、保持バー４２との連結部分に長孔４６Ａが形成されている。第２保持具４６の内部には、長孔４６Ａ内でスライド可能かつ、角筒体から抜け止加工されたねじ４６Ｂが収容されている。第２光学系３０の光軸方向における保持バー４２への取り付け位置は、第２保持具４６内におけるねじ４６Ｂの締付位置を適宜調整することによりなされる。また、第１光学系２０の光軸と第２光学系３０の光軸との離反距離は、保持バー４２に形成された長孔４２Ａ内における締付位置を調整することによりなされる。
【００１７】
このような第２保持具４６の構成を採用することで、第１保持具４０により保持された第１光学系２０の光軸に対し、第２光学系３０の光軸の離間距離の調整（図１中矢印Ａ方向における移動）と、第１光学系２０における接眼レンズの位置に対する第２光学系３０の接眼部の位置を光軸の延長方向において一致させる調整（図１中矢印Ｂ方向における移動）ができる。これにより、各々の使用者の両目の位置に応じて観測に最適な使用状態（この状態を第１の位置とする）に提供が可能になり好都合である。
【００１８】
本実施形態で説明した保持バー４２は第１光学系２０と第２光学系３０との相対位置を一時的に変更すべく、締付ねじ４５の軸線周りに第２光学系３０を回動可能な構成に形成されている。ここでは、第１光学系２０に対する当初の第２光学系３０の保持位置（第１の位置）を、図２の実線位置とした場合、第２光学系３０を締付ねじ４５の軸線周りに矢印Ｃの方向に回動させることで一時的に第１光学系２０と第２光学系３０の保持位置を変更している（変更後の状態を第２の位置とする）。このように保持バー４２とこれに挿通させた締付ねじ４５とにより保持位置切り替え機構が構成されている。
【００１９】
第２光学系３０が装着された側の端部と反対側の保持バー４２の端部には、保持位置維持手段であるバランサーウエイト４８が取り付けられている。バランサーウエイト４８は、保持バー４２に取り付けられた第１光学系２０に対する第２光学系３０の保持位置を一時的に変更した際において、変更後の保持位置を維持するためのものである。本実施形態におけるバランサーウエイト４８は、図２内の破線で示されているように、中空構造の筐体４８Ａと、筐体４８Ａの内部空間で移動自在な球状体４８Ｂとにより構成されている。
【００２０】
第１光学系２０に対する第２光学系３０の保持位置を手動により一時的に変更する（図２内の２点鎖線で示す状態）と、バランサーウエイト４８の球状体４８Ｂが筐体４８Ａ内で左側に寄る。観測者が第２光学系３０を元に位置に戻さなければ、第２光学系３０は、図２の二点鎖線状態（第２の位置）を維持することができる。第２光学系３０の位置を当初の位置（第１の位置）に戻す際には、観測者が第２光学系３０を矢印Ｃ方向と反対方向に第２光学系３０を持ち上げればよい。第２光学系３０の位置が元に戻れば、バランサーウエイト４８の球状体４８Ｂが筐体４８Ａ内で右側に寄り、当初の保持位置（第１の位置）を維持することができる。
【００２１】
保持バー４２の両端部には、第２光学系３０を装着するための装着長孔４２Ａと、バランサーウエイト４８の装着長孔４２Ｂと、が形成されている。装着長孔４２Ａ，４２Ｂはそれぞれ、保持バー４２の軸線方向に延びる長孔に形成され、第２光学系３０と、バランサーウエイト４８と、の保持バー４２への装着位置を調整する位置調整部を構成している。また、保持バー４２の中途位置には、第１光学系２０に取り付けられた取付部４４を連結するための連結用孔（図示せず）が配設されている。装着長孔４２Ａ，４２Ｂへの第２光学系３０およびバランサーウエイト４８の装着は、それぞれ締付ねじ４３Ａ，４３Ｂが用いられている。
【００２２】
また、第１保持具４４と保持バー４２とのあいだに配設されたストッパ４９は、保持バー４２に対するストッパ用ねじ４９Ａの突出量を調整することにより、第１光学系２０に対する第２光学系３０の回動位置の上限位置および下限位置の調整をすることができる。ここで、第２光学系３０の上限位置調整は、アイピース２１の高さ位置と第２光学系３０の高さ位置を合わせるためのものである。また、下限位置調整は、万が一第１光学系２０と第２光学系３０とのバランスが崩れた場合であっても、第２光学系３０の回動量が規制され、第１光学系２０と第２光学系３０との衝突による観測装置１０の破損を防ぐためのものである。
【００２３】
次に、第１光学系２０と第２光学系３０とにより観測者に提供される第１視野２２および第２視野３２について説明する。
第１光学系２０による第１視野２２は、図３に示すような通常の望遠鏡により得られる視野と同じである。
第２光学系３０による第２視野３２は、図４に示すように無背景（ここでは黒色背景）の中に測距スケール３４と方位磁針３６が視認される。このような第２視野３２は、大きさが既知の観測対象の大きさとその大きさに対応する離間距離とを白色に現像し、（透光可能にする）方位磁針３６の部分を切り抜いたコントラストの強いモノクロフィルムを第２光学系３０の視野内に配設することで得ることができる。具体的にはモノクロフィルムは、第２光学系３０の光学レンズ（接眼側に配設されたレンズ）や第２光学系３０の内部空間に配設した図示しない透明部材に貼り付けする等により配設することができる。
【００２４】
観測対象がクマタカ５０である場合の測距スケール３４について説明する。
ここではクマタカ５０のオスの翼開長が１４５ｃｍであるとする。第２光学系３０である５倍の拡大鏡により、観測位置から１ｋｍ先、２ｋｍ先、３ｋｍ先、４ｋｍ先、６ｋｍ、８ｋｍ先のそれぞれで、１４５ｃｍの長さを観測した場合の第２視野３２にあらわれる長さをそれぞれの距離に対応させて現像する。ここでは、図４に示すように測距スケール３４の下側領域に観測位置から観測対象までの距離を表示し、測距スケール３４の上側領域に観測位置から観測対象までの距離において、一般的なクマタカ５０の翼開長（１４０ｃｍ〜１５０ｃｍ）に相当する線分を表示している。この線分に代えてクマタカ５０の翼開状態の図柄を表示するようにしてもよい。このような測距スケール３４は、図４に示すように第２視野３２の下側領域にレイアウトされている。
【００２５】
方位磁針３６は、球状体に形成され、第２光学系３０の内部に収容された保持部（図９参照）に保持されている。保持部は、球状体の方位磁針３６が第２視野３２内に表示される高さ位置で方位磁針３６の赤道３６Ａが常に水平面を維持するように方位磁針３６を保持している。図４にもあらわれているように、方位磁針３６は、第２視野３２の下側領域に方位磁針３６の上側領域のうちの７５％程度の範囲が視認できるようにレイアウトされている。方位磁針３６の赤道上３６Ａには方位が表示されている。また、方位磁針３６の緯度方向（第２視野３２内の上下方向）には、第２光学系３０の光軸が水平面に対して傾斜角（仰角）の指標を表示する仰角標示線３９Ａが設けられている。また、第２視野３２内には、第２光学系３０の光軸を水平にした際において、方位磁針３６の赤道３６Ａ位置と重複する配置で表示される視準線３９Ｂが設けられている。
【００２６】
観測対象物であるクマタカ５０までの仰角の測定方法については、後述する方法により簡単に測定することができる。このように、第２視野３２内でクマタカ５０までの離間距離、方位、仰角の測定を迅速に行うことができる構成になっているので、観測途中で観測対象物から目を離さずに必要な観測情報を得ることができ、きわめて好都合である。
【００２７】
以上に説明した本実施形態にかかる観測装置の使用方法について説明する。
まず、第１光学系２０のアイピース２１に締付バンド４４Ａを締め付けた後、取付板４４Ｂの切欠部４４Ｄから締め付けねじ４５を保持バー４２へ挿通させ、締め付けねじ４５の先端部を締め付けることで、第１光学系２０に保持バー４２および第１保持部４４を装着する。つづいて保持バー４２の一端部に形成された装着長孔４２Ａに第２取付具４６の装着ねじ４６Ｂを位置合わせして挿通し、先端部を締め付けねじ４３Ａで締め付け固定する。このとき、第１光学系２０の光軸方向における接眼レンズ（アイピース２１）位置と第２光学系３０の接眼レンズ位置は、それぞれ一致している。また、観測者の両目の位置に、第１光学系２０およびと第２光学系３０の光軸位置が配置される（第１の位置にセットされる）ように互いの光軸の離間距離を調整する。
【００２８】
ついで、保持バー４２の他端部に形成された装着長孔４２Ｂにバランサーウエイト４８を装着する。保持バー４２の両端に第２光学系３０およびバランサーウエイト４８が装着され、第２光学系３０とバランサーウエイト４８との間に第１光学系２０が位置する配列で観測装置１０が組み立てられることになる。このようにして組み立てられた観測装置１０は、実際に観測する人が観測装置１０を覗き込み、装着長孔４２Ａ，４３Ａおよび第２取付具４６の長孔４６Ａを用いて互いの位置関係を微調整することにより、観測装置１０を観測者ごとにカスタマイズすることができる。
【００２９】
第１光学系２０と第２光学系３０との位置調整を終えた後、肉眼により観測対象であるクマタカ５０を探す。このとき、先に説明した保持位置切り替え機構を用いて、図２内の二点鎖線であらわれているように、第２光学系３０を矢印Ｃの方向に回転させ、第１光学系２０に対して第２光学系３０が下方側になる（第２の位置になる）ように第１保持具４４の締付ねじ４５の軸線周りに回動させることができる。このような第２の位置にすると、バランサーウエイト４８の球状体４８Ｂが筐体４８Ａ内で左側に寄るので、第１光学系２０と第２光学系３０の保持位置が維持されることになる。これにより第２光学系３０が当初の取り付け位置（第１の位置）から下がった状態（第２の位置の状態）になり、一方の目による視界は、裸眼による通常の視界（望遠鏡や拡大鏡を介さない視界）が得られることになり、概略探索が容易である。
【００３０】
観測装置１０における第１光学系２０と第２光学系３０を第２の位置に設定することで、肉眼によりクマタカ５０の大まかな位置を把握しやすくなる。第２の位置の状態でクマタカ５０の位置を把握した後、下降させた状態（第２の位置の状態）の第２光学系３０を図２中の矢印Ｃ方向と反対方向に回動させて、観測用の状態（図２の実線で示す状態。すなわち、第１の位置の状態）に戻してクマタカ５０を詳細に観測すればよい。このとき、観測者は、一方の目（ここでは観測者の右目）で図３に示す第１視野２２を得る。また他方の目（ここでは観測者の左目）で図４に示す第２視野３２を得ることになる。
【００３１】
観測者の脳は、第１視野２２および第２視野３２を同時に視覚すると、第１視野２２と第２視野３２とを合成し、図５に示すような合成視野６０として認識することになる。合成視野６０においては、第１光学系２０により得られたクマタカ５０の姿と、第２光学系３０により得られたクマタカ５０の飛行位置の方位および観測位置からクマタカ５０までの離間距離の目安となる測距スケール３４、方位磁針３６および仰角標示線３９Ａを同時に視認することができる。合成視野６０におけるクマタカ５０の位置を測距スケール３４に合わせれば、観測位置からクマタカ５０までの離間距離を計測することができる。図６に示した例においては、観測位置からクマタカ５０までの離間距離は４ｋｍであり、方位は南である。
【００３２】
また、図示しないが、クマタカ５０の位置を合成視野６０の中心位置（第１光学系２０または第２光学系３０にオリジナルの視準線がある場合には、オリジナルの視準線位置）になるように、観測装置１０を動かせば、クマタカ５０を観測したままでクマタカ５０が飛行している場所の方位および仰角を同時に計測することができる。このように観測対象であるクマタカ５０を連続的に観測しながらクマタカ５０の飛行ルートの特定に必要な位置情報（観測位置からの離間距離、方位、仰角）を得ることができる。これによりクマタカ５０の観測を継続したままで観測者（および記録者）間の連絡をとることができ、それぞれの観測位置で単独で観測している場合であっても、クマタカ５０を見失ってしまうことがなく、円滑にクマタカ５０の観測および飛行ルートの特定を行うことができる。
【００３３】
（第２実施形態）
図７は第２実施形態における観測装置の斜視図である。第１実施形態においては、第１光学系２０に対して第２光学系３０を上下方向に回動させて、第１の位置と第２の位置を切り替えするホルダ４０を有する実施形態について説明しているが、本実施形態ではホルダ４０の他の形態例について説明を行う。特に説明がない限りは、本実施形態における各構成は第１実施形態における構成に付与した符号と同符号を付することにより、詳細な説明を省略している。
【００３４】
本実施形態におけるホルダ４０は、図７に示すように固定板４１Ａと、スライド支柱４１Ｂと、ストッパ４３と、締付ねじ４５と、スライド板４７とを有している。固定板４１Ａは、第１光学系２０の三脚取り付け部２４部分に位置合わせして第１光学系２０とともに図示しない三脚のねじ部によって三脚に固定される。固定板４１Ａに立設されたスライド支柱４１Ｂは、固定板４１Ａにはんだや溶接などによる公知の接合方法により取り付けられている。
【００３５】
スライド板４７は、板厚方向に貫通する貫通孔にスライド支柱４１Ｂを挿通させ、スライド支柱４１Ｂの軸線方向（図中の矢印Ｚ方向）に移動自在かつ、スライド支柱４１Ｂの立設方向の中心軸線周り（図中の矢印α方向）に回転自在に取り付けられている。スライド板４７の軸線方向の位置はストッパ４３により固定することができる。また、スライド板４７の水平方向の回転位置は、締付ねじ４５を締め付けることにより固定することができる。さらに、スライド板４７には板厚方向に貫通し、スライド板４７の長手方向に沿った長孔４７Ａが形成されている。
第２光学系３０は、長孔４７Ａに挿通させた取り付けねじ４７Ｂの先端部を螺合させることによりスライド板４７に取り付けすることができる。第２光学系３０はスライド板４７に対して長孔４７Ａの延伸方向（図中の矢印Ｘ方向）および取り付けねじ４７Ｂの軸線周り（図中の矢印β方向）において取り付け状態を調整することができる。
【００３６】
図７に示す観測装置１０の状態にするまでの操作手順について説明する。
まず、観測者の一方の目に第１光学系２０の光軸位置を合わせ、他方の目の位置に第２光学系３０の光軸の位置が位置するように、ストッパ４３および締付ねじ４５を調整してスライド支柱４１Ｂに対する高さ位置（矢印Ａ方向の位置）およびスライド板４７の水平面内における回転状態（矢印α方向の位置）の調整を行う。
次いで、取り付けねじ４７Ｂを緩めて第２光学系３０の接眼レンズの位置と第１光学系０の接眼レンズの位置がそろうように、矢印Ｘ方向の位置を調整し、観測者の他方の目の位置に第２光学系３０の光軸が位置するように、矢印β方向の向きを調整し、取り付けねじ４７Ｂを固定する。必要に応じてストッパ４３、締付ねじ４５、取り付けねじ４７Ｂを操作し、第１光学系２０および第２光学系３０の光軸の位置の微調整を行うことで、第１の位置を設定することができる。
【００３７】
本実施形態のホルダ４０により観測装置１０を第２の位置にする場合には、ストッパ４３を固定したままの状態で締付ねじ４５を緩めて、スライド板４７をスライド支柱４１Ｂの軸線周り（矢印α方向）に水平面内で回転させれば、第２光学系３０の光軸の位置を観測者の他方の目の位置からはずすことができる。
第２の位置の状態でクマタカ５０の概略位置を把握した後、締付ねじ４５を操作して、第２光学系３０の光軸を第１の位置に戻せば、第１実施形態と同様にしてクマタカ５０を観測することができる。本実施形態においては、スライド支柱４１Ｂと締付ねじ４５とにより、保持位置切り替え機構および保持位置維持手段が構成されている。
【００３８】
以上に、本願発明について実施形態に基づいて詳細な説明を行ったが、本願発明の技術的範囲は、以上の実施形態に限定されるものではなく、発明の要旨を変更しない範囲において各種の改変を行うことができるのはもちろんである。例えば、本実施形態においては、第１光学系２０として光学倍率が３０倍の望遠鏡を用い、第２光学系３０として光学倍率が５倍の拡大鏡を用いているが、光学倍率が異なる望遠鏡や光学倍率が異なる拡大鏡を使用目的に合わせて適宜選択して用いることもできる。また、測距スケール３４に表示する距離は、以上の実施形態で説明した距離に限定されるものではなく、任意の距離を表示することができる。また、１つの測距スケール３４に大きさの異なる複数の観測対象物までの距離を計測することを可能にすべく、図８に示すように同一距離に対して複数本の線分や図柄を記載しても良い。このとき、生息環境が類似する複数種類の観測対象物を同一測距スケール３４に記載しておけばなお好適である。
【００３９】
また、以上には観測対象物に対する観測装置の光軸が水平面から上側に傾斜する仰角を示す仰角の指標である仰角標示線３９Ａが方位磁針３６を保持する保持部に形成されている実施形態について説明しているが、仰角の計測だけでなく伏角の計測も可能なように、方位磁針３６に仰伏角標示線（図示せず）を形成してもよいのはもちろんである。この形態を採用することにより、観測対象物を見下ろす状態での観測時においても、観測対象物（クマタカ５０）の位置特定を容易に行うことができる。
また、以上の実施形態においては、第２光学系３０の本体内部に方位磁針３６を収容した形態について説明しているが、図９（Ａ）に示すように、第２光学系３０の本体の外側に測距スケール３４と方位磁針３６を保持させるための保持部７０を別体に設けてもよい。図９内に示されている第２光学系３０はスライド筒３１を具備している。スライド筒３１は、視準調整ねじ３３を操作して光学レンズ３１Ａを調整部３３Ａ内でスライドさせることで視準調整を行うことができる。
【００４０】
さらに、測距スケール３４をユニット化して、観測対象により適宜交換可能に設けられていることが好適である。図９（Ａ）に示すように保持部７０には、測距スケール３４を装着するための測距スケール装着部７２が設けられている。このように測距スケール３４を交換可能な構成を採用することで、測距スケール３４を差し替えするだけで、直ちに他の観測対象の測距が可能になるため好都合である。またこのような保持部にストッパを配設しておけば、測距スケール３４の脱落が防止され、さらに好都合である。
また、図９（Ｂ）に示すように、方位磁針３６を第２光学系３０の内部に収容している場合には、第２光学系３０の本体部に測距スケール装着部７２を形成すれば、第２光学系３０をコンパクトにすることができる。
図９（Ａ）および（Ｂ）の保持部７０は、いずれも透明な材料により形成されており、所定位置に視準線３９Ｂが引かれている。
【００４１】
さらにまた、第１光学系２０と第２光学系３０との各光軸が平行になるように第１光学系２０と第２光学系３０とを保持するホルダ４０を有する観測装置１０の構成を例示して説明しているが、それぞれの光学系２０，３０をそれぞれの手で直接保持する構成を採用することもできるのはもちろんである。この構成によっても、第１光学系２０および第２光学系３０により提供される第１視野２２および第２視野３２を得ることができるので、観測者の脳内で第１視野２２と第２視野３２とが合成され、本実施形態と同様の合成視野を得ることができるのはもちろんである。この場合、観測者の両手が塞がれてしまうことになるが、マイクを装着した無線通信装置や録音機等を用いれば、単独での観測であっても観測データの記録を確実に行うことはもちろん可能である。
【００４２】
以上の実施形態では、第１光学系２０をホルダ４０に装着する際に、締付バンド４４Ａを用いた第１取付具４４を採用しているが、第２光学系３０における第２取付具４６と同様の構成を採用することができる。これとは逆に、第２光学系３０の第２取付具４６に替えて第１光学系２０の第１取付具４４の構成を適用してもよいのはもちろんである。
さらに本実施形態においては、第１取付具４４と保持バー４２との間に、ストッパ４９を挟持させた構成について説明しているが、ストッパ４９の配設を省略することももちろん可能である。
【００４３】
また、ホルダ４０に保持されている第２光学系３０の第１光学系２０に対する保持位置を切り替えした際の保持位置維持手段として、バランサーウエイト４８を具備する観測装置１０の実施形態について説明したが、バランサーウエイト４８は省略可能である。この場合、ホルダ４０の取り付け位置は、第１光学系２０のアイピース２１ではなく、第１光学系２０の本体部（例えば三脚取付部２４）にねじ止めなどにより装着する形態を採用すればよい。通常の第２光学系３０は、第１光学系２０よりも軽いため、第２光学系３０を第１光学系２０に直接取り付けする形態を採用しても、観測装置１０が不安定になることはなく、上記実施形態と同様に使用することができる。
【符号の説明】
【００４４】
１０  観測装置
２０  第１光学系
２２  第１視野
３０  第２光学系
３２  第２視野
３４  測距スケール
３６  方位磁針
３９Ａ  仰角標示線
３９Ｂ  視準線
４０  ホルダ
４２  保持アーム
４４  第１保持部
４６  第２保持具
４８  バランサーウエイト
５０  クマタカ
６０  合成視野
７０  保持部
【図１】
2011089808.tif 000003
【図２】
2011089808.tif 000004
【図３】
2011089808.tif 000005
【図４】
2011089808.tif 000006
【図５】
2011089808.tif 000007
【図６】
2011089808.tif 000008
【図７】
2011089808.tif 000009
【図８】
2011089808.tif 000010
【図９】
2011089808.tif 000011